(57)【要約】【課題】凝縮部入口ヘッダ部内に流入した冷媒の凝縮部入口ヘッダ部に接続された全熱交換管への分流を均一化しうるコンデンサを提供する。【解決手段】コンデンサの凝縮部入口ヘッダ部９内と入口部材16の冷媒流入路17とに跨るように、入口部材16の冷媒流入路17から冷媒入口15を通して凝縮部入口ヘッダ部９内に流入した冷媒の上下方向への分流を制御する分流制御部材22を配置する。分流制御部材22は、一端が凝縮部入口ヘッダ部９内に位置するとともに他端が入口部材16の冷媒流入路17内に位置するように配置され、かつ冷媒流入路17の冷媒入口側部分17aおよび冷媒入口15の上下両側の流路面積を調節する流路面積調節部材23と、流路面積調節部材23の凝縮部入口ヘッダ部９内に位置する部分に設けられ、かつ凝縮部入口ヘッダ部９内に流入する冷媒を上方および下方に案内する案内部材24とからなる。【選択図】図３
2017003204.tif 000002
【特許請求の範囲】
【請求項１】
長さ方向を左右方向に向けるとともに上下方向に間隔をおいて並列状に配置された複数の熱交換管からなる少なくとも１つの熱交換パスと、冷媒流れ方向最上流側の熱交換パスの冷媒流れ方向上流側端部が通じる凝縮部入口ヘッダ部と、冷媒流れ方向最下流側の熱交換パスの冷媒流れ方向下流側端部が通じかつ凝縮部の全熱交換パスを流れた冷媒が流入する凝縮部出口ヘッダ部とを有する凝縮部を備えており、凝縮部入口ヘッダ部に１つの冷媒入口が形成され、凝縮部入口ヘッダ部に、冷媒入口に通じかつ冷媒入口を通して凝縮部入口ヘッダ部内に冷媒を送り込む冷媒流入路を有する入口部材が固定されているコンデンサにおいて、
入口部材の冷媒流入路の冷媒流れ方向下流側端部が冷媒入口に通じており、凝縮部入口ヘッダ部内と入口部材の冷媒流入路とに跨るように、入口部材の冷媒流入路から冷媒入口を通して凝縮部入口ヘッダ部内に流入した冷媒の上下方向への分流を制御する分流制御部材が配置されているコンデンサ。
【請求項２】
分流制御部材が、一端が凝縮部入口ヘッダ部内に位置するとともに他端が入口部材の冷媒流入路内に位置するように配置され、かつ入口部材の冷媒流入路における冷媒入口側部分および冷媒入口の上下両側の流路面積を調節する流路面積調節部材と、流路面積調節部材における凝縮部入口ヘッダ部内に位置する部分に設けられ、かつ入口部材の冷媒流入路から冷媒入口を通って凝縮部入口ヘッダ部内に流入する冷媒を上方および下方に案内する案内部材とからなる請求項１記載のコンデンサ。
【請求項３】
分流制御部材の流路面積調節部材における入口部材の冷媒流入路内に位置する部分の一部が、入口部材の冷媒流入路の内面に固定されている請求項２記載のコンデンサ。
【請求項４】
分流制御部材の流路面積調節部材が、一端が開口するとともに他端が閉鎖された筒状であり、流路面積調節部材の閉鎖端が入口部材の冷媒流入路内に位置している請求項２または３記載のコンデンサ。
【請求項５】
分流制御部材の案内部材が板状であるとともに、流路面積調節部材から上下いずれか一方に突出した第１突出部および同他方に突出した第２突出部を有しており、第１突出部の流路面積調節部材からの突出長さが、第２突出部の流路面積調節部材からの突出長さよりも長くなっている請求項２〜４のうちのいずれかに記載のコンデンサ。
【請求項６】
冷媒入口が凝縮部の高さ方向の中央部よりも下方において凝縮部入口ヘッダ部に形成され、分流制御部材の流路面積調節部材が、入口部材の冷媒流入路および冷媒入口の下側に配置されることにより、入口部材の冷媒流入路における冷媒入口側部分および冷媒入口の上側の流路面積が同下側の流路面積よりも大きくなっており、分流制御部材の案内部材の第１突出部が上を向くとともに、第２突出部が下を向いている請求項５記載のコンデンサ。
【請求項７】
凝縮部の下方に、長さ方向を左右方向に向けるとともに上下方向に間隔をおいて並列状に配置された複数の熱交換管からなる少なくとも１つの熱交換パスと、凝縮部を通過した冷媒が流入しかつ過冷却部の冷媒流れ方向上流側端部の熱交換パスが通じる過冷却部入口ヘッダ部と、過冷却部の冷媒流れ方向下流側端部の熱交換パスが通じる過冷却部出口側ヘッダ部とを有する過冷却部が設けられている請求項１〜６のうちのいずれかに記載のコンデンサ。
【請求項８】
凝縮部に１つの熱交換パスが設けられるとともに、当該熱交換パスの全熱交換管が凝縮部入口ヘッダ部に接続されている請求項１〜７のうちのいずれかに記載のコンデンサ。
【請求項９】
熱交換管の一端側に第１ヘッダタンクが配置されるとともに、他端側に第２ヘッダタンクおよび第３ヘッダタンクが、第３ヘッダタンクが第２ヘッダタンクよりも左右方向外側に位置するように設けられ、第１ヘッダタンクに、凝縮部入口ヘッダ部および過冷却部出口ヘッダ部が前者が上側に位置するように設けられ、第２ヘッダタンクの全体に凝縮部出口ヘッダ部が設けられるとともに凝縮部出口ヘッダ部に凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダ部が設けられ、第２ヘッダタンクの凝縮部出口ヘッダ部内と、第３ヘッダタンク内における第２ヘッダタンクの下端よりも上方に位置する部分とが連通部を介して通じさせられている請求項８記載のコンデンサ。
【発明の詳細な説明】
【技術分野】
【０００１】
この発明は、たとえば自動車に搭載されるカーエアコンに好適に用いられるコンデンサに関する。
【０００２】
この明細書および特許請求の範囲において、図１〜図３の上下、左右を上下、左右をいうものとする。
【背景技術】
【０００３】
たとえばカーエアコンのコンデンサとして、本出願人は、先に、凝縮部および過冷却部が前者が上側に位置するように設けられ、長さ方向を左右方向に向けるとともに上下方向に間隔をおいて並列状に配置された複数の熱交換管と、熱交換管の左右両端部が接続された上下方向にのびるヘッダタンクとを備え、上下に連続して並んだ複数の熱交換管からなる熱交換パスが上下に並んで２つ設けられ、凝縮部および過冷却部にそれぞれ１つの熱交換パスが設けられ、凝縮部に設けられた熱交換パスが冷媒を凝縮させる冷媒凝縮パスであり、過冷却部に設けられた熱交換パスが冷媒を過冷却する冷媒過冷却パスであり、左右いずれか一端側に第１ヘッダタンクが配置されるとともに、他端側に第２ヘッダタンクおよび第３ヘッダタンクが、第３ヘッダタンクが第２ヘッダタンクよりも左右方向外側に位置するように配置され、第１ヘッダタンクに凝縮部入口ヘッダ部および過冷却部出口ヘッダ部が前者が上側に位置するように設けられ、第２ヘッダタンクの上下方向の長さが第１ヘッダタンクの凝縮部入口ヘッダ部の上下方向の長さと等しくなっているとともに、第２ヘッダタンクの全体に凝縮部出口ヘッダ部が設けられ、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダ部が設けられ、冷媒凝縮パスの全熱交換管が凝縮部入口ヘッダ部および同出口ヘッダ部に接続され、冷媒過冷却パスの全熱交換管が過冷却部入口ヘッダ部および同出口ヘッダ部に接続され、凝縮部の高さ方向の中央よりも若干上方の高さ位置において、凝縮部入口ヘッダ部に冷媒入口が形成されるとともに凝縮部入口ヘッダ部に冷媒入口に直接通じる冷媒流入路を有する入口部材が接合され、過冷却部出口ヘッダ部に冷媒出口が形成されるとともに、凝縮部出口ヘッダ部に、冷媒出口に通じる冷媒流出路を有する出口部材が接合され、第２ヘッダタンクの凝縮部出口ヘッダ部内と、第３ヘッダタンク内における第２ヘッダタンクの下端よりも上方に位置する部分とが連通部を介して通じさせられており、入口部材および出口部材に、カーエアコンを構成する部品を接続する配管が接続されるようになされているコンデンサを提案している（特許文献１参照）。
【０００４】
ところで、自動車にカーエアコンを搭載する場合、カーエアコンを構成する部品を接続する配管の取り回しを考慮して、コンデンサの入口部材を、凝縮部入口ヘッダ部の種々の高さ位置に接合することを要求されることがある。
【０００５】
しかしながら、たとえば冷媒入口が凝縮部入口ヘッダ部における凝縮部の高さ方向の中央よりも下方の高さ位置に形成されるとともに、入口部材が凝縮部の高さ方向の中央よりも下方において凝縮部入口ヘッダ部に接合されている場合、入口部材の冷媒流入路および冷媒入口を通って凝縮部入口ヘッダ部内に流入した冷媒は、凝縮部入口ヘッダ部の上部に接続された熱交換管内には流入しにくくなる。したがって、入口部材の冷媒流入路および冷媒入口を通って凝縮部入口ヘッダ部内に流入した冷媒が、凝縮部入口ヘッダ部に接続された全熱交換管に均等に分流されず、コンデンサの性能が低下するおそれがある。
【先行技術文献】
【特許文献】
【０００６】
【特許文献１】特開２０１４−５２１６３号公報
【発明の概要】
【発明が解決しようとする課題】
【０００７】
この発明の目的は、上記実情に鑑み、凝縮部入口ヘッダ部内に流入した冷媒の凝縮部入口ヘッダ部に接続された全熱交換管への分流を均一化しうるコンデンサを提供することにある。
【課題を解決するための手段】
【０００８】
本発明は、上記目的を達成するために以下の態様からなる。
【０００９】
1)長さ方向を左右方向に向けるとともに上下方向に間隔をおいて並列状に配置された複数の熱交換管からなる少なくとも１つの熱交換パスと、冷媒流れ方向最上流側の熱交換パスの冷媒流れ方向上流側端部が通じる凝縮部入口ヘッダ部と、冷媒流れ方向最下流側の熱交換パスの冷媒流れ方向下流側端部が通じかつ凝縮部の全熱交換パスを流れた冷媒が流入する凝縮部出口ヘッダ部とを有する凝縮部を備えており、凝縮部入口ヘッダ部に１つの冷媒入口が形成され、凝縮部入口ヘッダ部に、冷媒入口に通じかつ冷媒入口を通して凝縮部入口ヘッダ部内に冷媒を送り込む冷媒流入路を有する入口部材が固定されているコンデンサにおいて、
入口部材の冷媒流入路の冷媒流れ方向下流側端部が冷媒入口に通じており、凝縮部入口ヘッダ部内と入口部材の冷媒流入路とに跨るように、入口部材の冷媒流入路から冷媒入口を通して凝縮部入口ヘッダ部内に流入した冷媒の上下方向への分流を制御する分流制御部材が配置されているコンデンサ。
【００１０】
2)分流制御部材が、一端が凝縮部入口ヘッダ部内に位置するとともに他端が入口部材の冷媒流入路内に位置するように配置され、かつ入口部材の冷媒流入路における冷媒入口側部分および冷媒入口の上下両側の流路面積を調節する流路面積調節部材と、流路面積調節部材における凝縮部入口ヘッダ部内に位置する部分に設けられ、かつ入口部材の冷媒流入路から冷媒入口を通って凝縮部入口ヘッダ部内に流入する冷媒を上方および下方に案内する案内部材とからなる上記1)記載のコンデンサ。
【００１１】
3)分流制御部材の流路面積調節部材における入口部材の冷媒流入路内に位置する部分の一部が、入口部材の冷媒流入路の内面に固定されている上記2)記載のコンデンサ。
【００１２】
4)分流制御部材の流路面積調節部材が、一端が開口するとともに他端が閉鎖された筒状であり、流路面積調節部材の閉鎖端が入口部材の冷媒流入路内に位置している上記2)または3)記載のコンデンサ。
【００１３】
5)分流制御部材の案内部材が板状であるとともに、流路面積調節部材から上下いずれか一方に突出した第１突出部および同他方に突出した第２突出部を有しており、第１突出部の流路面積調節部材からの突出長さが、第２突出部の流路面積調節部材からの突出長さよりも長くなっている上記2)〜4)のうちのいずれかに記載のコンデンサ。
【００１４】
6)冷媒入口が凝縮部の高さ方向の中央部よりも下方において凝縮部入口ヘッダ部に形成され、分流制御部材の流路面積調節部材が、入口部材の冷媒流入路および冷媒入口の下側に配置されることにより、入口部材の冷媒流入路における冷媒入口側部分および冷媒入口の上側の流路面積が同下側の流路面積よりも大きくなっており、分流制御部材の案内部材の第１突出部が上を向くとともに、第２突出部が下を向いている上記5)記載のコンデンサ。
【００１５】
7)凝縮部の下方に、長さ方向を左右方向に向けるとともに上下方向に間隔をおいて並列状に配置された複数の熱交換管からなる少なくとも１つの熱交換パスと、凝縮部を通過した冷媒が流入しかつ過冷却部の冷媒流れ方向上流側端部の熱交換パスが通じる過冷却部入口ヘッダ部と、過冷却部の冷媒流れ方向下流側端部の熱交換パスが通じる過冷却部出口側ヘッダ部とを有する過冷却部が設けられている上記1)〜6)のうちのいずれかに記載のコンデンサ。
【００１６】
8)凝縮部に１つの熱交換パスが設けられるとともに、当該熱交換パスの全熱交換管が凝縮部入口ヘッダ部に接続されている上記1)〜7)のうちのいずれかに記載のコンデンサ。
【００１７】
9)熱交換管の一端側に第１ヘッダタンクが配置されるとともに、他端側に第２ヘッダタンクおよび第３ヘッダタンクが、第３ヘッダタンクが第２ヘッダタンクよりも左右方向外側に位置するように設けられ、第１ヘッダタンクに、凝縮部入口ヘッダ部および過冷却部出口ヘッダ部が前者が上側に位置するように設けられ、第２ヘッダタンクの全体に凝縮部出口ヘッダ部が設けられるとともに凝縮部出口ヘッダ部に凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダ部が設けられ、第２ヘッダタンクの凝縮部出口ヘッダ部内と、第３ヘッダタンク内における第２ヘッダタンクの下端よりも上方に位置する部分とが連通部を介して通じさせられている上記8)記載のコンデンサ。
【発明の効果】
【００１８】
上記1)〜9)のコンデンサによれば、入口部材の冷媒流入路の冷媒流れ方向下流側端部が冷媒入口に通じており、凝縮部入口ヘッダ部内と入口部材の冷媒流入路とに跨るように、入口部材の冷媒流入路から冷媒入口を通して凝縮部入口ヘッダ部内に流入した冷媒の上下方向への分流を制御する分流制御部材が配置されているので、冷媒入口が形成される位置および入口部材が固定される位置に応じて、入口部材の冷媒流入路および冷媒入口を通って凝縮部入口ヘッダ部内に流入する冷媒を、凝縮部入口ヘッダ部内の高さ方向の全体に行き渡らせることが可能になる。したがって、入口部材の冷媒流入路および冷媒入口を通って凝縮部入口ヘッダ部内に流入した冷媒を、凝縮部入口ヘッダ部に接続された全熱交換管に均等に分流することができ、コンデンサの性能低下を防止することが可能になる。
【００１９】
上記2)のコンデンサによれば、分流制御部材が、一端が凝縮部入口ヘッダ部内に位置するとともに他端が入口部材の冷媒流入路内に位置するように配置され、かつ入口部材の冷媒流入路における冷媒入口側部分および冷媒入口の上下両側の流路面積を調節する流路面積調節部材と、流路面積調節部材における凝縮部入口ヘッダ部内に位置する部分に設けられ、かつ入口部材の冷媒流入路から冷媒入口を通って凝縮部入口ヘッダ部内に流入する冷媒を上方および下方に案内する案内部材とからなるので、以下に述べるようにして、入口部材の冷媒流入路および冷媒入口を通って凝縮部入口ヘッダ部内に流入した冷媒を、凝縮部入口ヘッダ部に接続された全熱交換管に均等に分流することができる。たとえば、流路面積調節部材によって、入口部材の冷媒流入路における冷媒入口側部分および冷媒入口の上側の流路面積が同下側の流路面積よりも大きくなるように調節すると、凝縮部入口ヘッダ部内の冷媒入口よりも上方の部分に多くの冷媒を送り込むことができる。凝縮部入口ヘッダ部内の冷媒入口よりも上方の部分に流入した多くの冷媒は案内部材により上方に案内され、同じく下方の部分に流入した少ない冷媒は案内部材により下方に案内される。したがって、冷媒入口が凝縮部入口ヘッダ部の上下方向の中央部よりも下方に形成されている場合であっても、入口部材の冷媒流入路および冷媒入口を通って凝縮部入口ヘッダ部内に流入した冷媒を、凝縮部入口ヘッダ部に接続された全熱交換管に均等に分流することができる。
【００２０】
また、流路面積調節部材によって、入口部材の冷媒流入路における冷媒入口側部分および冷媒入口の下側の流路面積が同上側の流路面積よりも大きくなるように調節すると、凝縮部入口ヘッダ部内の冷媒入口よりも下方の部分に多くの冷媒を送り込むことができる。凝縮部入口ヘッダ部内の冷媒入口よりも下方の部分に流入した多くの冷媒は案内部材により下方に案内され、同じく上方の部分に流入した少ない冷媒は案内部材により上方に案内される。したがって、冷媒入口が凝縮部入口ヘッダ部の上下方向の中央部よりも上方に形成されている場合であっても、入口部材の冷媒流入路および冷媒入口を通って凝縮部入口ヘッダ部内に流入した冷媒を、凝縮部入口ヘッダ部に接続された全熱交換管に均等に分流することができる。
【００２１】
さらに、流路面積調節部材によって、入口部材の冷媒流入路における冷媒入口側部分および冷媒入口の上下両側の流路面積が均等になるように調節すると、凝縮部入口ヘッダ部内の冷媒入口よりも上方および下方の部分に均等に冷媒を送り込むことができる。凝縮部入口ヘッダ部内の冷媒入口よりも上方の部分に流入した冷媒は案内部材により上方に案内され、同じく下方の部分に流入した冷媒は案内部材により下方に案内される。したがって、冷媒入口が凝縮部入口ヘッダ部の上下方向の中央部分に形成されている場合であっても、入口部材の冷媒流入路および冷媒入口を通って凝縮部入口ヘッダ部内に流入した冷媒を、凝縮部入口ヘッダ部に接続された全熱交換管に均等に分流することができる。
【００２２】
上記3)のコンデンサによれば、分流制御部材を、比較的簡単に凝縮部入口ヘッダ部内と入口部材の冷媒流入路とに跨るように配置することができる。
【００２３】
上記4)および5)のコンデンサによれば、入口部材の冷媒流入路から冷媒入口を通って凝縮部入口ヘッダ部に流入した冷媒が、冷媒入口近傍の熱交換管に直接流入することが防止されるので、凝縮部入口ヘッダ部内に流入した冷媒を、凝縮部入口ヘッダ部に接続された全熱交換管に、効果的に均等に分流することができる。
【００２４】
上記5)のコンデンサによれば、以下に述べるようにして、入口部材の冷媒流入路および冷媒入口を通って凝縮部入口ヘッダ部内に流入した冷媒を、凝縮部入口ヘッダ部に接続された全熱交換管に均等に分流することができる。たとえば、流路面積調節部材によって、入口部材の冷媒流入路における冷媒入口側部分および冷媒入口の上側の流路面積が同下側の流路面積よりも大きくなるように調節し、さらに案内部材における流路面積調節部材からの突出長さの長い第１突出部を上に向けるとともに、案内部材における流路面積調節部材からの突出長さの短い第２突出部を下に向ける。すると、凝縮部入口ヘッダ部内の冷媒入口よりも上方の部分に多くの冷媒を送り込むことができるとともに、送り込まれた多くの冷媒を冷媒入口から離れた部分に案内することができる。したがって、冷媒入口が凝縮部入口ヘッダ部の上下方向の中央部よりも下方に形成されている場合であっても、入口部材の冷媒流入路および冷媒入口を通って凝縮部入口ヘッダ部内に流入した冷媒を、効果的に凝縮部入口ヘッダ部に接続された全熱交換管に均等に分流することができる。
【００２５】
また、流路面積調節部材によって、入口部材の冷媒流入路における冷媒入口側部分および冷媒入口の下側の流路面積が同上側の流路面積よりも大きくなるように調節し、さらに案内部材における流路面積調節部材からの突出長さの長い第１突出部を下に向けるとともに、案内部材における流路面積調節部材からの突出長さの短い第２突出部を上に向ける。すると、凝縮部入口ヘッダ部内の冷媒入口よりも下方の部分に多くの冷媒を送り込むことができるとともに、送り込まれた多くの冷媒を冷媒入口から離れた部分に案内することができる。したがって、冷媒入口が凝縮部入口ヘッダ部の上下方向の中央部よりも上方に形成されている場合であっても、入口部材の冷媒流入路および冷媒入口を通って凝縮部入口ヘッダ部内に流入した冷媒を、効果的に凝縮部入口ヘッダ部に接続された全熱交換管に均等に分流することができる。
【図面の簡単な説明】
【００２６】
【図１】この発明によるコンデンサの全体構成を具体的に示す正面図である。
【図２】図１のコンデンサを模式的に示す正面図である。
【図３】図１のコンデンサの要部を示す一部を省略した垂直断面図である。
【図４】図３のＡ−Ａ線断面図である。
【図５】図１のコンデンサの要部を示す分解斜視図である。
【図６】入口部材および分流制御部材の変形例を示す分解斜視図である。
【図７】図６の入口部材および分流制御部材を示す図３の一部に相当する図である。
【図８】入口部材および分流制御部材の他の変形例を示す分解斜視図である。
【図９】図８の入口部材および分流制御部材を示す図３の一部に相当する図である。
【発明を実施するための形態】
【００２７】
以下、この発明の実施形態を、図面を参照して説明する。
【００２８】
以下の説明において、図１および図２の紙面表裏方向を通風方向というものとする。
【００２９】
また、以下の説明において、「アルミニウム」という用語には、純アルミニウムの他にアルミニウム合金を含むものとする。
【００３０】
図１はこの発明によるコンデンサの全体構成を具体的に示し、図２は図１のコンデンサを模式的に示し、図３〜図５は図１のコンデンサの要部の構成を示す。図２においては、個々の熱交換管の図示は省略されるとともに、コルゲートフィン、サイドプレート、入口部材および出口部材の図示も省略されている。
【００３１】
図１および図２において、コンデンサ(1)には、凝縮部(1A)および過冷却部(1B)が、前者が上側に位置するように設けられており、幅方向を通風方向に向けるとともに長さ方向を左右方向に向けた状態で上下方向に間隔をおいて配置された複数のアルミニウム製扁平状熱交換管(2)と、長さ方向を上下方向に向けて配置されるとともに熱交換管(2)の左右両端部がろう付により接続された３つのアルミニウム製ヘッダタンク(3)(4)(5)と、隣り合う熱交換管(2)どうしの間および上下両端の外側に配置されて熱交換管(2)にろう付されたアルミニウム製コルゲートフィン(6)と、上下両端のコルゲートフィン(6)の外側に配置されてコルゲートフィン(6)にろう付されたアルミニウム製サイドプレート(7)とを備えている。
【００３２】
コンデンサ(1)の凝縮部(1A)および過冷却部(1B)には、それぞれ上下に連続して並んだ複数の熱交換管(2)からなる少なくとも１つ、ここでは１つの熱交換パス(P1)(P2)が設けられており、凝縮部(1A)に設けられた熱交換パス(P1)が冷媒凝縮パスとなり、過冷却部(1B)に設けられた熱交換パス(P2)が冷媒過冷却パスとなっている。そして、各熱交換パス(P1)(P2)を構成する全ての熱交換管(2)の冷媒流れ方向が同一となっているとともに、隣り合う２つの熱交換パスの熱交換管(2)の冷媒流れ方向が異なっている。ここで、凝縮部(1A)の熱交換パス(P1)を第１熱交換パスといい、過冷却部(1B)の熱交換パス(P2)を第２熱交換パスというものとする。なお、この実施形態においては、凝縮部(1A)に１つの第１熱交換パス(P1)が設けられているので、第１熱交換パス(P1)が、凝縮部(1A)の冷媒流れ方向最上流側の熱交換パスであると同時に、冷媒流れ方向最下流側の熱交換パスとなっている。
【００３３】
コンデンサ(1)の右端部側には、第１および第２熱交換パス(P1)(P2)を構成する全ての熱交換管(2)の右端部が接続される第１ヘッダタンク(3)が配置されている。第１ヘッダタンク(3)内は、第１熱交換パス(P1)と第２熱交換パス(P2)との間の高さ位置に設けられたアルミニウム製仕切部材(8)により上下２つの区画(3a)(3b)に分割されている。第１ヘッダタンク(3)の上側区画(3a)の全体に、凝縮部(1A)の第１熱交換パス(P1)の冷媒流れ方向上流側端部が通じる凝縮部入口ヘッダ部(9)が設けられ、同じく下側区画(3b)の全体に、過冷却部(1B)の第２熱交換パス(P2)の冷媒流れ方向下流側端部が通じる過冷却部出口ヘッダ部(11)が設けられている。
【００３４】
コンデンサ(1)の左端側には、凝縮部(1A)に設けられた第１熱交換パス(P1)の全熱交換管(2)の左端部がろう付により接続された第２ヘッダタンク(4)と、過冷却部(1B)に設けられた第２熱交換パス(P2)の熱交換管(2)の左端部がろう付により接続された第３ヘッダタンク(5)とが、第３ヘッダタンク(5)が左右方向外側に位置するように別個に設けられている。第３ヘッダタンク(5)の上端は第２ヘッダタンク(4)の下端よりも上方、ここでは第２ヘッダタンク(4)の上端とほぼ同一高さ位置にある。また、第３ヘッダタンク(5)の下端は第２ヘッダタンク(4)の下端よりも下方に位置しており、第３ヘッダタンク(5)における第２ヘッダタンク(4)よりも下方に位置する部分に、第２熱交換パス(P2)を構成する第２熱交換管(2)がろう付により接続されている。第３ヘッダタンク(5)は、凝縮部(1A)で凝縮した液相主体冷媒を貯留するとともに液相主体冷媒を過冷却部(1B)に供給する液溜部の機能を有している。
【００３５】
第２ヘッダタンク(4)の全体に、凝縮部(1A)の第１熱交換パス(P1)の冷媒流れ方向下流側端部が通じる凝縮部出口ヘッダ部(12)が設けられている。第３ヘッダタンク(5)における第２ヘッダタンク(4)の下端よりも下方に位置する部分に、過冷却部(1B)の第２熱交換パス(P2)の冷媒流れ方向上流側端部が通じる過冷却部入口ヘッダ部(13)が設けられている。そして、第２ヘッダタンク(4)の凝縮部出口ヘッダ部(12)内の下端部と、第３ヘッダタンク(5)内における過冷却部入口ヘッダ部(13)よりも上方の部分とが連通部材(14)により通じさせられている。なお、第３ヘッダタンク(5)内における過冷却部入口ヘッダ部(13)よりも上方の部分と、過冷却部入口ヘッダ部(13)とは、第３ヘッダタンク(5)内で通じている。
【００３６】
図２〜図５に示すように、第１ヘッダタンク(3)の凝縮部入口ヘッダ部(9)における凝縮部(1A)の高さ方向の中央部よりも下方の部分、ここでは下端部に近い部分に縦長方形状の冷媒入口(15)が形成されている。第１ヘッダタンク(3)の凝縮部入口ヘッダ部(9)における冷媒入口(15)と対応する高さ位置に、冷媒入口(15)を通して凝縮部入口ヘッダ部(9)内に冷媒を送り込む冷媒流入路(17)を有するアルミニウム製入口部材が(16)が接合されている。冷媒流入路(17)の冷媒流れ方向下流側端部の開口は縦長方形状であり、冷媒流入路(17)の冷媒流れ方向下流側端部と冷媒入口(15)とが合致している。しかしながら、これに限定されるものではなく、冷媒流入路(17)の冷媒流れ方向下流側端部と冷媒入口(15)とは、必ずしも合致している必要はなく、通じているだけでもよい。また、第１ヘッダタンク(3)の過冷却部出口ヘッダ部(11)に縦長方形状の冷媒出口(18)が形成されている。第１ヘッダタンク(3)の過冷却部出口ヘッダ部(11)における冷媒出口(18)と対応する高さ位置に、冷媒出口(18)から流出した冷媒を送り出す冷媒流出路(21)を有するアルミニウム製出口部材(19)が接合されている。冷媒流出路(21)の冷媒流れ方向上流側端部の開口は縦長方形状であり、冷媒流出路(21)の冷媒流れ方向上流側端部と冷媒出口(18)とが合致している。
【００３７】
凝縮部入口ヘッダ部(9)内と入口部材(16)の冷媒流入路(17)とに跨るように、入口部材(16)の冷媒流入路(17)から冷媒入口(15)を通して凝縮部入口ヘッダ部(9)内に流入した冷媒の上下方向への分流を制御するアルミニウム製分流制御部材(22)が配置されている。分流制御部材(22)は、一端が凝縮部入口ヘッダ部(9)内に位置するとともに他端が入口部材(16)の冷媒流入路(17)内に位置するように配置され、かつ入口部材(16)の冷媒流入路(17)における冷媒入口側部分(17a)および冷媒入口(15)の上下両側の流路面積を調節する流路面積調節部材(23)と、流路面積調節部材(23)における凝縮部入口ヘッダ部(9)内に位置する部分に一体に設けられ、かつ入口部材(16)の冷媒流入路(17)から冷媒入口(15)を通って凝縮部入口ヘッダ部(9)内に流入する冷媒を上方および下方に案内する案内部材(24)とからなる。
【００３８】
分流制御部材(22)の流路面積調節部材(23)は一端が開口するとともに他端が閉鎖された筒状であり、閉鎖端が入口部材(16)の冷媒流入路(17)における冷媒入口側部分(17a)内に位置している。分流制御部材(22)の流路面積調節部材(23)は、閉鎖端寄りの一定長さ部分が、入口部材(16)の冷媒流入路(17)の内周面の凹所(17b)内に嵌め入れられた状態で入口部材(16)の冷媒流入路(17)の内面にろう付されている。分流制御部材(22)の案内部材(24)は、幅方向を前後方向に向けるとともに長手方向を上下方向に向けた垂直板状であり、流路面積調節部材(23)の開口端に一体に設けられている。案内部材(24)は、流路面積調節部材(23)から上下いずれか一方に突出した第１突出部(24a)および同他方に突出した第２突出部(24b)を有しており、第１突出部(24a)の流路面積調節部材(23)からの突出長さが、第２突出部(24b)の流路面積調節部材(23)からの突出長さよりも長くなっている。ここでは、分流制御部材(22)の流路面積調節部材(23)は、入口部材(16)の冷媒流入路(17)における冷媒入口側部分(17a)および冷媒入口(15)の上側の流路面積が同下側の流路面積よりも大きくなるように、冷媒流入路(17)の冷媒入口側部分(17a)および冷媒入口(15)の上下の中央部よりも下側の位置に配置され、さらに案内部材(24)は第１突出部(24a)が上を向くとともに、第２突出部(24b)が下を向いている。
【００３９】
コンデンサ(1)は、圧縮機、膨張弁（減圧器）およびエバポレータとともに冷凍サイクルを構成し、カーエアコンとして車両に搭載される。
【００４０】
上述した構成のコンデンサ(1)において、圧縮機により圧縮された高温高圧の気相冷媒が、入口部材(16)の冷媒流入路(17)および冷媒入口(15)を通って凝縮部入口ヘッダ部(9)内の下部に流入する。そして、分流制御部材(22)の流路面積調節部材(23)により、入口部材(16)の冷媒流入路(17)における冷媒入口側部分(17a)および冷媒入口(15)の上側の流路面積が同下側の流路面積よりも大きくなるように調節されているので、凝縮部入口ヘッダ部(9)内の冷媒入口(15)よりも上方の部分に多くの冷媒が送り込まれるとともに、同下方の部分に少ない冷媒が送り込まれる。しかも、案内部材(24)における流路面積調節部材(23)からの突出長さの長い第１突出部(24a)が上を向くとともに、案内部材(24)における流路面積調節部材(23)からの突出長さの短い第２突出部(24b)が下を向いているので、凝縮部入口ヘッダ部(9)内の冷媒入口(15)よりも上方の部分に流入した多くの冷媒は案内部材(24)の第１突出部(24a)により上方でかつ冷媒入口(15)から離れた部分にも案内される。したがって、入口部材(16)の冷媒流入路(17)および冷媒入口(15)を通って凝縮部入口ヘッダ部(9)内に流入した冷媒が、凝縮部入口ヘッダ部(9)の下部および上部に接続された熱交換管(2)内に均等に流入するようになり、凝縮部入口ヘッダ部(9)に接続された第１熱交換パス(P1)の全熱交換管(2)に均等に分流される。第１熱交換パス(P1)の熱交換管(2)内に流入した冷媒は、第１熱交換パス(P1)の熱交換管(2)内を左方に流れる間に凝縮させられて第２ヘッダタンク(4)の凝縮部出口ヘッダ部(12)内に流入する。第２ヘッダタンク(4)の凝縮部出口ヘッダ部(12)内に流入した冷媒は、連通部材(14)を通って第３ヘッダタンク(5)内における過冷却部入口ヘッダ部(13)よりも上方の部分に流入する。
【００４１】
第３ヘッダタンク(5)内における過冷却部入口ヘッダ部(13)よりも上方の部分に流入した冷媒は、気液混相冷媒であり、当該気液混相冷媒のうち液相主体混相冷媒は重力により第３ヘッダタンク(5)の過冷却部入口ヘッダ部(13)内に溜まり、第２熱交換パス(P2)の熱交換管(2)内に入る。第２熱交換パス(P2)の熱交換管(2)内に入った液相主体混相冷媒は第２熱交換管(2)内を右方に流れる間に過冷却された後、第１ヘッダタンク(3)の過冷却部出口ヘッダ部(11)内に入り、冷媒出口(18)および出口部材(19)の冷媒流出路(21)を通って流出し、膨張弁を経てエバポレータに送られる。
【００４２】
図６〜図９はこの発明によるコンデンサに用いられる入口部材(16)および分流制御部材(22)の変形例を示す。
【００４３】
図６および図７に示す入口部材(16)および分流制御部材(22)は、たとえば第１ヘッダタンク(3)の凝縮部入口ヘッダ部(9)における凝縮部(1A)の高さ方向の中央部よりも上方の部分に冷媒入口(15)が形成されている場合のように、冷媒入口(15)よりも下方に送り込む冷媒量を、同じく上方に送り込む冷媒量よりも多くする場合に用いられるものである。
【００４４】
入口部材(16)の冷媒流入路(17)における冷媒入口側部分(17a)の前後両側面の上部に、流路面積調節部材(23)の一部が嵌る凹所(17c)が形成されている。分流制御部材(22)の流路面積調節部材(23)は、入口部材(16)の冷媒流入路(17)における冷媒入口側部分(17a)および冷媒入口(15)の下側の流路面積が同上側の流路面積よりも大きくなるように、冷媒流入路(17)の冷媒入口側部分(17a)および冷媒入口(15)の上下の中央部よりも上側の位置に配置され、閉鎖端寄りの一定長さ部分が、入口部材(16)の冷媒流入路(17)の内周面の凹所(17c)内に嵌め入れられた状態で入口部材(16)の冷媒流入路(17)の内面にろう付されている。
【００４５】
分流制御部材(22)は、上述した実施形態のコンデンサ(1)に用いられている分流制御部材(22)を上下逆向きにした形状であり、案内部材(24)は、流路面積調節部材(23)からの突出長さの長い第１突出部(24a)が下を向くとともに、流路面積調節部材(23)からの突出長さの短い第２突出部(24b)が上を向くように配置されている。
【００４６】
図６および図７に示す入口部材(16)および分流制御部材(22)を備えたコンデンサの場合、分流制御部材(22)の流路面積調節部材(23)により、入口部材(16)の冷媒流入路(17)における冷媒入口側部分(17a)および冷媒入口(15)の下側の流路面積が同上側の流路面積よりも大きくなるように調節されているので、凝縮部入口ヘッダ部(9)内の冷媒入口(15)よりも下方の部分に多くの冷媒が送り込まれるとともに、同上方の部分に少ない冷媒が送り込まれる。しかも、案内部材(24)における流路面積調節部材(23)からの突出長さの長い第１突出部(24a)が下を向くとともに、案内部材(24)における流路面積調節部材(23)からの突出長さの短い第２突出部(24b)が上を向いているので、凝縮部入口ヘッダ部(9)内の冷媒入口(15)よりも下方の部分に流入した多くの冷媒は案内部材(24)の第１突出部(24a)により下方でかつ冷媒入口(15)から離れた部分にも案内される。したがって、入口部材(16)の冷媒流入路(17)および冷媒入口(15)を通って凝縮部入口ヘッダ部(9)内に流入した冷媒が、凝縮部入口ヘッダ部(9)の下部および上部に接続された熱交換管(2)内に均等に流入するようになり、凝縮部入口ヘッダ部(9)に接続された第１熱交換パス(P1)の全熱交換管(2)に均等に分流される。
【００４７】
図８および図９に示す入口部材(16)および分流制御部材(22)は、たとえば第１ヘッダタンク(3)の凝縮部入口ヘッダ部(9)における凝縮部(1A)の高さ方向の中央部付近に冷媒入口(15)が形成されている場合のように、冷媒入口(15)よりも下方に送り込む冷媒量と、同じく上方に送り込む冷媒量とを均一化する場合に用いられるものである。
【００４８】
入口部材(16)の冷媒流入路(17)における冷媒入口側部分(17a)の前後両側面の上下方向中央部に、流路面積調節部材(23)の一部が嵌る凹所(17d)が形成されている。分流制御部材(22)の流路面積調節部材(23)は、入口部材(16)の冷媒流入路(17)における冷媒入口側部分(17a)および冷媒入口(15)の上下両側の流路面積が同等となるように、冷媒流入路(17)の冷媒入口側部分(17a)および冷媒入口(15)の上下の中央部分に配置され、閉鎖端寄りの一定長さ部分が、入口部材(16)の冷媒流入路(17)の内周面の凹所(17d)内に嵌め入れられた状態で入口部材(16)の冷媒流入路(17)の内面にろう付されている。
【００４９】
分流制御部材(22)は、上述した実施形態のコンデンサ(1)の場合と同様に、案内部材(24)の第１突出部(24a)が上を向くとともに、第２突出部(24b)が下を向くように配置されている。
【００５０】
図８および図９に示す入口部材(16)および分流制御部材(22)を備えたコンデンサの場合、分流制御部材(22)の流路面積調節部材(23)により、入口部材(16)の冷媒流入路(17)における冷媒入口側部分(17a)および冷媒入口(15)の上下両側の流路面積がほぼ同一となるように調節されているので、凝縮部入口ヘッダ部(9)内の冷媒入口(15)よりも上方の部分および下方の部分にほぼ等しい量の冷媒が送り込まれる。したがって、入口部材(16)の冷媒流入路(17)および冷媒入口(15)を通って凝縮部入口ヘッダ部(9)内に流入した冷媒が、凝縮部入口ヘッダ部(9)の下部および上部に接続された熱交換管(2)内に均等に流入するようになり、凝縮部入口ヘッダ部(9)に接続された第１熱交換パス(P1)の全熱交換管(2)に均等に分流される。なお、凝縮部入口ヘッダ部(9)内の冷媒入口(15)よりも上方の部分および下方の部分にほぼ等しい量の冷媒が送り込まれた場合、案内部材(24)の第１突出部(24a)および第２突出部(24b)の向きが上下どちらであっても、冷媒入口(15)よりも上方の部分および下方の部分へ流入する冷媒量の均一化にはそれほど影響しない。したがって、図６および図７に示す分流制御部材(22)と同様に、第１突出部(24a)が下を向くとともに、第２突出部(24b)が上を向くように配置されていてもよい。
【産業上の利用可能性】
【００５１】
この発明によるコンデンサは、自動車に搭載されるカーエアコンに好適に用いられる。
【符号の説明】
【００５２】
(1)：コンデンサ
(1A)：凝縮部
(1B)：過冷却部
(2)：熱交換管
(3)：第１ヘッダタンク
(4)：第２ヘッダタンク
(5)：第３ヘッダタンク
(9)：凝縮部入口ヘッダ部
(12)：凝縮部出口ヘッダ部
(13)：過冷却部入口ヘッダ部
(15)：冷媒入口
(16)：入口部材
(17)：冷媒流入路
(17a)：冷媒入口側部分
(17b)(17c)(17d)：凹所
(22)：分流制御部材
(23)：流路面積調節部材
(24)：案内部材
(24a)：第１突出部
(24b)：第２突出部
(P1)：第１熱交換パス
(P2)：第２熱交換パス
【図１】
2017003204.tif 000003
【図２】
2017003204.tif 000004
【図３】
2017003204.tif 000005
【図４】
2017003204.tif 000006
【図５】
2017003204.tif 000007
【図６】
2017003204.tif 000008
【図７】
2017003204.tif 000009
【図８】
2017003204.tif 000010
【図９】
2017003204.tif 000011